(57)【特許請求の範囲】
【請求項１】
ＩＣカードリーダ／ライタによりＩＣカードの読取り・書込みを行う際に、前記ＩＣカードの識別を行うＩＣカード識別システムにおいて、送信部と、アンテナ部とを含み、前記送信部は、前記ＩＣカードリーダ／ライタに設けられ、特定の周波数の電波を発信するように成っており、前記アンテナ部は、前記特定の周波数の電波に同調する共振回路から成り、該共振回路は、コイルとコンデンサとで構成されており、前記コイルが前記ＩＣカードリーダ／ライタに備えられており、前記コンデンサが前記ＩＣカードに設けられたＩＣチップに接続されており、前記ＩＣカードリーダ／ライタによる前記ＩＣカードの読取り・書込みの際に前記コイルと前記コンデンサとが互いに接続され前記アンテナ部が構成されるように成っており、前記アンテナ部が前記特定の周波数の電波に同調した時の同調電圧に基づいて前記ＩＣカードの識別を行うようにしたことを特徴とするＩＣカード識別システム。
【請求項２】
請求項１記載のＩＣカード識別システムに用いられるＩＣカードリーダ／ライタであって、前記コイルを備えていることを特徴とするＩＣカードリーダ／ライタ。
【請求項３】
請求項１記載のＩＣカード識別システムに用いられるＩＣカードであって、前記コンデンサが前記ＩＣチップに接続されていることを特徴とするＩＣカード。
【請求項４】
ＩＣカードリーダ／ライタによりＩＣカードの読取り・書込みを行う際に、前記ＩＣカードの識別を行うＩＣカード識別システムにおいて、送信部と、アンテナ部とを含み、前記送信部は、前記ＩＣカードリーダ／ライタに設けられ、特定の周波数の電波を発信するように成っており、前記アンテナ部は、前記特定の周波数の電波に同調する共振回路から成り、該共振回路は、コイルとコンデンサとで構成されており、前記コイルがＩＣカードに設けられたＩＣチップに接続されており、前記コンデンサが前記ＩＣカードリーダ／ライタに備えられており、前記ＩＣカードリーダ／ライタによる前記ＩＣカードの読取り・書込みの際に前記コイルと前記コンデンサとが互いに接続され、前記アンテナ部が構成されるように成っており、前記アンテナ部が前記特定の周波数の電波に同調した時の同調電圧に基づいて前記ＩＣカードの識別を行うようにしたことを特徴とするＩＣカード識別システム。
【請求項５】
請求項４記載のＩＣカード識別システムに用いられるＩＣカードリーダ／ライタであって、前記コンデンサを備えていることを特徴とするＩＣカードリーダ／ライタ。
【請求項６】
請求項４記載のＩＣカード識別システムに用いられるＩＣカードであって、前記コイルが前記ＩＣチップに接続されていることを特徴とするＩＣカード。
【発明の詳細な説明】
【０００１】
【発明の属する技術分野】
本発明は、ＩＣカードリーダ／ライタによって、ＩＣカードの読取り、書込みを行う際に、ＩＣカードの識別を行うＩＣカード識別システムに属する。
【０００２】
【従来の技術】
従来のＩＣカードにおけるアイデンテティ（ＩＤ）の認識は、一般にはＩＤ番号による照合、ＩＣチップ内にＩＤ認識のためのゲート回路の組み込み、或いはバーコード等他の記録媒体との併用等、種々の方法が採用されている。
【０００３】
ＩＣカードのＩＤ認識のために、ＩＣカードとＩＣカードリーダ／ライタの間で電波を使用して照合する方法はまだ公知例として公開されてない。
【０００４】
【発明が解決しようとする課題】
従来のＩＣカードのＩＤの認識は、ＩＣカードの利用者に正確なＩＤ番号の入力作業を負担させることになる。更にＩＤ番号の盗難に遭った場合など、その対策はホストコンピュータのソフトプログラムを変更する必要が生じる。これらのセキュリテイ対策は非常に高価なものとなる。
【０００５】
また、ＩＣカード内のＩＣチップの改ざんにより不正使用が行われる虞があった。
【０００６】
本発明の目的は、ＩＣカードの使用者には認証のための入力作業の負担をかけずに、セキュリテイの高いＩＣカードの認証を行う簡素且つ安価なＩＣカード識別システムを提供することにある。
【０００７】
【課題を解決するための手段】
請求項１記載の本発明によれば、ＩＣカードリーダ／ライタによりＩＣカードの読取り・書込みを行う際に、前記ＩＣカードの識別を行うＩＣカード識別システムにおいて、送信部と、アンテナ部とを含み、前記送信部は、前記ＩＣカードリーダ／ライタに設けられ、特定の周波数の電波を発信するように成っており、前記アンテナ部は、前記特定の周波数の電波に同調する共振回路から成り、該共振回路は、コイルとコンデンサとで構成されており、前記コイルが前記ＩＣカードリーダ／ライタに備えられており、前記コンデンサが前記ＩＣカードに設けられたＩＣチップに接続されており、前記ＩＣカードリーダ／ライタによる前記ＩＣカードの読取り・書込みの際に前記コイルと前記コンデンサとが互いに接続され前記アンテナ部が構成されるように成っており、前記アンテナ部が前記特定の周波数の電波に同調した時の同調電圧に基づいて前記ＩＣカードの識別を行うようにしたことを特徴とするＩＣカード識別システムが得られる。
【０００８】
請求項２記載の本発明によれば、請求項１記載のＩＣカード識別システムに用いられるＩＣカードリーダ／ライタであって、前記コイルを備えていることを特徴とするＩＣカードリーダ／ライタが得られる。
【０００９】
請求項３記載の本発明によれば、請求項１記載のＩＣカード識別システムに用いられるＩＣカードであって、前記コンデンサが前記ＩＣチップに接続されていることを特徴とするＩＣカードが得られる。
【００１０】
請求項４記載の本発明によれば、ＩＣカードリーダ／ライタによりＩＣカードの読取り・書込みを行う際に、前記ＩＣカードの識別を行うＩＣカード識別システムにおいて、送信部と、アンテナ部とを含み、前記送信部は、前記ＩＣカードリーダ／ライタに設けられ、特定の周波数の電波を発信するように成っており、前記アンテナ部は、前記特定の周波数の電波に同調する共振回路から成り、該共振回路は、コイルとコンデンサとで構成されており、前記コイルがＩＣカードに設けられたＩＣチップに接続されており、前記コンデンサが前記ＩＣカードリーダ／ライタに備えられており、前記ＩＣカードリーダ／ライタによる前記ＩＣカードの読取り・書込みの際に前記コイルと前記コンデンサとが互いに接続され、前記アンテナ部が構成されるように成っており、前記アンテナ部が前記特定の周波数の電波に同調した時の同調電圧に基づいて前記ＩＣカードの識別を行うようにしたことを特徴とするＩＣカード識別システムが得られる。
【００１１】
請求項５記載の本発明によれば、請求項４記載のＩＣカード識別システムに用いられるＩＣカードリーダ／ライタであって、前記コンデンサを備えていることを特徴とするＩＣカードリーダ／ライタが得られる。
【００１２】
請求項６記載の本発明によれば、請求項４記載のＩＣカード識別システムに用いられるＩＣカードであって、前記コイルが前記ＩＣチップに接続されていることを特徴とするＩＣカードが得られる。
【００１７】
【作用】
本発明のＩＣカード識別システムは、ＩＣカード内に、ＩＣチップとは別に、コイル及びコンデンサ、又はコイルとコンデンサの内の一方を内蔵し、ＩＣカードリーダ／ライタの発生する電波の周波数を利用して照合するだけで、ＩＣカードのＩＤを識別することが可能となり、非常に簡単且つ安価な構成でセキュリテイの確保、及び偽造防止ができる。
【００１８】
【発明の実施の形態】
以下、図面を参照して本発明の実施の形態について説明する。
【００１９】
図１は本発明の第１の実施形態によるＩＣカード識別システムの構成を示す回路図、図２は図１に示すＩＣカードの分解斜視図である。
【００２０】
図１及び図２を参照して、本実施形態のＩＣカード識別システムは、ＩＣカードリーダ／ライタ１と、ＩＣカード２とで構成され、送信部と、アンテナ部とを有していることを特徴とする。
【００２１】
ＩＣカードリーダ／ライタ１には、信号発生器１１、送信コイル１２、及び接触端子部１３が設けられている。この信号発生器１１と送信コイル１２とで、上述の送信部が構成されている。そして、信号発生器１１で、特定の周波数の電波を発生し、この電波を送信コイル１２からＩＣカード２に発信するように成っている。
【００２２】
ＩＣカード２は、プラスチックカード２１と、ＩＣモジュール２２と、コイル３と、コンデンサ４とから成る。
【００２３】
プラスチックカード２１は、プラスチックシート２１ａと、プラスチックオーバーシート２１ｂとから成る。プラスチックシート２１ａには、ＩＣモジュール２２を格納するための凹部２１ｃが形成されている。この凹部２１ｃは、ＩＣモジュール２２の接触端子部２２ａがプラスチックシート２１ａの上面から若干出る深さを持っている。この凹部２１ｃの近傍に、コイル３を格納するための円環状溝２１ｄが形成されている。更に、プラスチックシート２１ａには、凹部２１ｃと円環状溝２１ｄとを連通すると共にコンデンサ４を格納するための溝２１ｅが形成されている。プラスチックオーバーシート２１ｂには、ＩＣモジュール２２の接触端子部２２ａがプラスチックオーバーシート２１ｂの上面で露出するように、四角形状の貫通孔２１ｆが形成されている。
【００２４】
ＩＣモジュール２２は、上述のように、その表面に接触端子部２２ａを有し、プラスチックシート２１ａの凹部２１ｃ内に収納されている。
【００２５】
コイル３は、空芯のコイルであり、ＩＣモジュール２２の接触端子部２２ａの電源端子及びグランド端子に接続されている。
【００２６】
コンデンサ４は、プラスチックシート２１ａの溝２１ｅ内に収納され、コイル３に並列に接続されており、このコイル３と共に並列共振回路を構成している。この共振回路は、アンテナ回路と成っており、アンテナの機能を持っており、即ち、この共振回路が上述のアンテナ部と成っている。
【００２７】
ＩＣカード２の組立に当たっては、プラスチックシート２１ａ上に、ＩＣモジュール２２、コイル３、及びコンデンサ４を、それぞれ所定部位に収納し、こられを接着剤で、プラスチックシート２１ａに固定し、このプラスチックシート２１ａ上に、プラスチックオーバーシート２１ｂを接着剤で接着するように成っている。
【００２８】
尚、コイル３とコンデンサ４とからなる共振回路、又はコイル３若しくはコンデンサ４は、ＩＣモジュール２２の接触端子部２２ａの空き端子を利用することも可能である。
【００２９】
次ぎに、本実施形態の動作について説明する。特定の周波数の電波をＩＣカードリーダ／ライタ１の信号発生器１１にて発生し、この電波を送信コイル１２からＩＣカード２のコイル３へ発信する。そしてこの特定の周波数の電波が、ＩＣカード２のコイル３とコンデンサ４から成る共振回路に同調すると、その同調信号が接触端子部２２ａ，１３を経由して、ＩＣカードリーダ／ライタ１に送られる。信号発生器１１から発生する電波は、複数の周波数によりプログラム化されており、共振回路に同調する周波数の順序、その同調電圧によりＩＣカード２のアイデンテティ（ＩＤ）を読み取り、識別を行うように成っている。ＩＣカード２のアイデンテティ（ＩＤ）の合致が確認されると、ＩＣカード２とＩＣカードリーダ／ライタ１間で通常のプロトコルで通信が開始される。
【００３０】
尚、コイル、或いはコンデンサの無いＩＣカードは、当然、ＩＣカードリーダ／ライタ１は受け付けない。
【００３１】
図３は本発明の第２の実施形態によるＩＣカード識別システムの構成を示す回路図である。図３を参照して、本実施形態は、第１の実施形態と略同構成であり、第１の実施形態と同様の構成部分については、第１の実施形態と同じ参照番号を付し、その説明を省略する。
【００３２】
本実施形態では、ＩＣカード２のコイル３とコンデンサ４が直列に接続されている。また、ＩＣカードリーダ／ライタ１の接触端子部１３には、短絡線１４が設けられている。即ち、本実施形態では、ＩＣカードリーダ／ライタ１の接触端子部１３の短絡線１４が、共振回路の一部と成っており、ＩＣカード２とＩＣカードリーダ／ライタ１とを接続すると、共振回路が構成されるように成っている。
【００３３】
図４は本発明の第３の実施形態によるＩＣカード識別システムの構成を示す回路図である。図４を参照して、本実施形態は、第１の実施形態と略同構成であり、第１の実施形態と同様の構成部分については、第１の実施形態と同じ参照番号を付し、その説明を省略する。
【００３４】
本実施形態では、共振回路を構成するコイル３とコンデンサ４の内、コイル３が、ＩＣカードリーダ／ライタ１に備えられ、接触端子部１３に接続されており、また、コンデンサ４が、ＩＣカード２に備えられ、ＩＣモジュール２に接続されている。そして、ＩＣカード２とＩＣカードリーダ／ライタ１とが、両接触端子部２２ａ，１３を通じて接続されると、コイル３とコンデンサ４が互いに接続され、これらによって共振回路が構成されるように成っている。
【００３５】
図５は本発明の第４の実施形態によるＩＣカード識別システムの構成を示す回路図である。図５を参照して、本実施形態は、第１の実施形態と略同構成であり、第１の実施形態と同様の構成部分については、第１の実施形態と同じ参照番号を付し、その説明を省略する。
【００３６】
本実施形態では、共振回路を構成するコイル３とコンデンサ４の内、コイル３が、ＩＣカード２に備えられ、接触端子部２２ａに接続されており、また、コンデンサ４が、ＩＣカードリーダ／ライタ１に備えられ、接触端子部１３に接続されている。そして、ＩＣカード２とＩＣカードリーダ／ライタ１とが、両接触端子部２２ａ，１３を通じて接続されると、コイル３とコンデンサ４が互いに接続され、これらによって共振回路が構成されるように成っている。本実施形態においては、コンデンサ４を可変コンデンサとし、共振周波数を可変できるようにしても良い。
【００３７】
尚、上述の実施形態において、コイル３と対になるコンデンサ４は、ＩＣモジュール２２内に設置しても良いが、円環状溝２１ｄ内にデスクリート部品として、格納し接続することも可能である。
【００３８】
【実施例】
次ぎに、上述の実施形態の実施例について説明する。プラスチックシート２１ａの材質としては、塩化ビニル（ＰＶＣ）又はポリエチレンテレフタレート（ＰＥＴ）が適し、その厚さは０．５ｍｍ〜０．６ｍｍである。
【００３９】
プラスチックシート２１ａの凹部２１ｃの深さは、０．３ｍｍ〜０．４ｍｍであり、ＩＣモジュール２２の接触端子部２２ａが、プラスチックシート２１ａの上面から約０．２ｍｍ出るようにすると良い。
【００４０】
プラスチックシート２１ａの円環状溝２１ｄの巾、及び深さは、使用する電波の周波数によってコイル３の巻き数から実験的に求めるが、コイル３の巻き数を数十ターンとして、溝２１ｄの巾、及び深さを、０．２ｍｍ〜０．４ｍｍにすると良い。
【００４１】
ＩＣモジュール２２、コイル３、及びコンデンサ４のプラスチックシート２１ａに対する接着は、シアノクリレート系接着剤で行われる。また、プラスチックシート２１ａとプラスチックオーバーシート２１ｂとの間の接着は、エステル系接着剤で行われるが、この接着は、一般に１２０℃、加圧約１０ｋｇ／ｃｍ2 で行う。
【００４２】
プラスチックオーバーシート２１ｂの材質としては、ポリエチレンテレフタレート（ＰＥＴ）又は塩化ビニル（ＰＶＣ）が適し、その板厚は約０．１５ｍｍである。また、プラスチックオーバーシート２１ｂは白色で、ＩＣカード２内部が透けて見えないようにその表面には印刷が施される。
【００４３】
尚、プラスチックシート２１ａ及びプラスチックオーバーシート２１ｂとして、上述のように、ポリエチレンテレフタレート（ＰＥＴ）或いはポリ塩化ビニル（ＰＶＣ）製のシートを用いているが、これ以外の熱可塑性樹脂シートを用いても良い。
【００４４】
【発明の効果】
以上説明したように、本発明によれば、ＩＣカードリーダ／ライタに送信部を設け、ＩＣカードにコイルとコンデンサの内の少なくとも一方を設け、他方をＩＣカードかＩＣカードリーダ／ライタに設けることで、ＩＣカードリーダ／ライタの送信部から発信する電波に、コイルとコンデンサで構成されるアンテナ部を同調させ、その時の同調電圧に基づいてＩＣカードの識別を行うことができ、この結果、簡素且つ安価な構成で、ＩＣカードのセキュリテイ向上、偽造防止が可能になる。
【図面の簡単な説明】
【図１】本発明の第１の実施形態によるＩＣカード識別システムの構成を示す回路図である。
【図２】図１に示すＩＣカードの分解斜視図である。
【図３】本発明の第２の実施形態によるＩＣカード識別システムの構成を示す回路図である。
【図４】本発明の第３の実施形態によるＩＣカード識別システムの構成を示す回路図である。
【図５】本発明の第４の実施形態によるＩＣカード識別システムの構成を示す回路図である。
【符号の説明】
１  ＩＣカードリーダ／ライタ
２  ＩＣカード
３  コイル
４  コンデンサ
１１  信号発生器
１２  送信コイル
１３  接触端子部
１４  短絡線
２１  プラスチックカード
２１ａ  プラスチックシート
２１ｂ  プラスチックオーバーシート
２１ｃ  凹部
２１ｄ  円環状溝
２１ｅ  溝
２１ｆ  貫通孔
２２  ＩＣモジュール
２２ａ  接触端子部
【図１】
0003800749.tif 000002
【図２】
0003800749.tif 000003
【図３】
0003800749.tif 000004
【図４】
0003800749.tif 000005
【図５】
0003800749.tif 000006